(57)【要約】      （修正有）【課題】自分の好みのハンカチーフで好みの形に折ったポケットチーフを型崩れさせることなく保持し、深さの異なる胸ポケットにも自在に対応して最適な高さに保持することができる、ポケットチーフホルダーを提供する。【解決手段】ハンカチーフを各種形状に折って形成したポケットチーフ３を型崩れさせることなく保持するための内部ホルダー４と、該内部ホルダー４を収納すると共に胸ポケットの深さに対応して上下方向に摺動させ、その高さを保持するための外部ホルダー６にて構成し、前記内部ホルダー４は表裏２枚の薄い板状素材から形成され、前記板状素材の各内面の端部に配設した両面接着テープにてポケットチーフの略下半分側を表裏両面より挟むように貼着して当該ポケットチーフを保持し、または前記板状素材にてポケットチーフの略下半分側を表裏両面より挟むと共に当該板状素材の端部をミシンにより縫合してポケットチーフを保持する。【選択図】図１
0003153877.tif 000002
【実用新案登録請求の範囲】
【請求項１】
ハンカチーフを各種形状に折って形成したポケットチーフを型崩れさせることなく保持するための内部ホルダーと、該内部ホルダーを収納すると共に胸ポケットの深さに対応して上下方向に摺動させ、その高さを保持するための外部ホルダーにて構成したことを特徴とする、ポケットチーフホルダー。
【請求項２】
上記内部ホルダーは表裏２枚の薄い板状素材から形成され、前記板状素材の各内面の端部に配設した両面接着テープにてポケットチーフの略下半分側を表裏両面より挟むように貼着して当該ポケットチーフを保持することを特徴とする、請求項１に記載のポケットチーフホルダー。
【請求項３】
上記内部ホルダーは表裏２枚の薄い板状素材から形成され、前記板状素材にてポケットチーフの略下半分側を表裏両面より挟むと共に当該板状素材の端部をミシンにより縫合してポケットチーフを保持することを特徴とする、請求項１に記載のポケットチーフホルダー。
【請求項４】
ポケットチーフホルダーを構成する内部ホルダー及び外部ホルダーの外形をＴ字形とし、該ポケットチーフホルダーをネクタイの小剣通しに挿着可能としたことを特徴とする、請求項１から請求項３の何れかに記載のポケットチーフホルダー。
【考案の詳細な説明】
【技術分野】
【０００１】  本考案は、礼服やスーツ及びカジュアルジャケット等の胸ポケットにアクセサリーとして差し込むポケットチーフに関し、特に自分の好みのハンカチーフで好みの形に折ったポケットチーフを型崩れさせることなく保持し、深さの異なる胸ポケットにも自在に対応して最適な高さに保持することができる、ポケットチーフホルダーに関するものである。
【背景技術】
【０００２】  従来、礼服やスーツ及びカジュアルジャケット等のアクセサリーとして、胸ポケットにポケットチーフを差し込むことがある。該ポケットチーフは、ハンカチーフを２〜４つに山折にし、又は膨らみを持たせるなどして形作るが、前記礼服等をしばらく着用していると、当該ポケットチーフが型崩れしたり、胸ポケット内に沈み込んでしまうことがあった。【０００３】  上記問題点を解決すべく、例えば実用新案登録第３１３３５２５号公報の「簡易ポケットチーフ」にあっては、胸ポケットに差し込む大きさに形成したカード状の差込片の上辺から装飾用ハンカチーフを露出させたポケットチーフ本体と、上着の胸ポケット内に収容可能な大きさとし、前記ポケットチーフ本体を支持する板状部材からなる支持体とを備え、前記ポケットチーフ本体と支持体とを面ファスナー又はシート状磁石で付着させ、若しくは支持体に複数段階の高さでポケットチーフ本体の高さを支持する複数の支持部を形成するなどとした、ポケットチーフホルダーが提案されている。【０００４】  また、実用新案登録第３１４３１６０号公報の「ポケットチーフホルダ」にあっては、ポケットチーフの一部を弾性力によって挟持する第１の押圧部及び第２の押圧部を有する挟持部と、該挟持部を保持する基板部とを備え、該基板部は、その下縁部がポケットチーフを収容するポケットの底部に当接した状態において、ポケットチーフの重さが加わった挟持部をポケットの底部から所定の高さに維持することが可能な剛性を有すると共に、被着者におけるポケットに対応する部位の体形に沿うように屈曲することが可能な柔軟性を有する素材によって形成するなどとした、ポケットチーフホルダーが提案されている。【０００５】
【特許文献１】実用新案登録第３１３３５２５号
【特許文献２】実用新案登録第３１４３１６０号
【考案の開示】
【考案が解決しようとする課題】
【０００６】  上記実用新案登録第３１３３５２５号公報に記載のポケットチーフホルダーは、深さの異なる胸ポケットに対応してポケットチーフホルダーを最適な高さに保持することができるが、ポケットチーフ本体の高さ調整を行う支持体が別パーツであるために紛失しやすいという欠点があった。さらに、ポケットチーフ本体には全て予めハンカチーフがポケットチーフとして形成されたものであるため、自分の好みのハンカチーフを用いたり、好みの形に折って使用することができないため、自由度が阻害されてしまうという問題点があった。【０００７】  また、実用新案登録第３１４３１６０号公報に記載のポケットチーフホルダーは、深さの異なる胸ポケットに対応してポケットチーフホルダーを最適な高さに保持することができると共に、自分の好みのハンカチーフを用いて、好みの形に折って使用することはできるが、ポケットチーフを挟むための挟持部は当該ポケットチーフの略中央部の一部分のため、型崩れしやすいという懸念があった。さらに、前記挟持部はある程度の厚さを有するため、胸ポケットに入れた際に厚みが浮き出てしまうという懸念もあった。【０００８】  本考案は、以上のような問題点を解決するために成されたものであり、礼服やスーツ及びカジュアルジャケット等の胸ポケットにアクセサリーとしてポケットチーフを差し込む際において、自分の好みのハンカチーフで好みの形に折ったポケットチーフを型崩れさせることなく保持し、深さの異なる胸ポケットにも自在に対応して最適な高さに保持することができる、ポケットチーフホルダーを提供することを目的とする。
【課題を解決するための手段】
【０００９】  上記課題を解決するため本考案のポケットチーフホルダーは、ハンカチーフを各種形状に折って形成したポケットチーフを型崩れさせることなく保持するための内部ホルダーと、該内部ホルダーを収納すると共に胸ポケットの深さに対応して上下方向に摺動させ、その高さを保持するための外部ホルダーにて構成する。【００１０】  上記内部ホルダーは表裏２枚の薄い板状素材から形成され、前記板状素材の各内面の端部に配設した両面接着テープにてポケットチーフの略下半分側を表裏両面より挟むように貼着して当該ポケットチーフを保持する。【００１１】  または上記内部ホルダーは表裏２枚の薄い板状素材から形成され、前記板状素材にてポケットチーフの略下半分側を表裏両面より挟むと共に当該板状素材の端部をミシンにより縫合してポケットチーフを保持する。
【考案の効果】
【００１２】  本考案のポケットチーフホルダーによれば、礼服やスーツ及びカジュアルジャケット等の胸ポケットにアクセサリーとしてポケットチーフを差し込む際において、自分の好みのハンカチーフで好みの形に折ったポケットチーフを型崩れさせることなく保持し、深さの異なる胸ポケットにも自在に対応して最適な高さに保持することができることはもとより、外部ホルダーに内部ホルダーを収納した一体構造のため、パーツを紛失させることなく確実に機能が得られるという効果を奏する。また、内部ホルダーおよび外部ホルダーは薄い板状素材から形成されたものであるため、ポケットチーフホルダーを胸ポケットに差し込んだ際において厚みが浮き出ることもなく、違和感なく着用することができるという絶大なる効果を奏する。
【考案を実施するための最良の形態】
【００１３】  本考案のポケットチーフホルダーを実施するための最良の形態を図を用いて説明する。【００１４】  図１は本考案のポケットチーフホルダーの使用状態を示す図であり、ポケットチーフホルダー１は、ハンカチーフを各種形状に折って形成したポケットチーフ３を型崩れさせることなく保持するための内部ホルダー４と、該内部ホルダー４を収納すると共に胸ポケット９の深さに対応して図中矢印のようにホルダー内部８を上下方向に摺動させることにより、その高さを保持するための外部ホルダー６にて構成する。【００１５】  上記内部ホルダーの形成手順として、まず、図２のポケットチーフを自分の好みのハンカチチーフで好みの形に折った状態図に示すように、予め自分の好みのハンカチチーフ２（シルク製が好ましい）を好みの形（図では三山折り）に折って用意しておく。【００１６】  次に、図３の本考案のポケットチーフホルダーを構成する内部ホルダーにポケットチーフを保持させた状態図に示すように、（ａ）において内部ホルダー４は表裏２枚の薄い板状素材から形成され、前記板状素材の各内面の端部に配設した両面接着テープ５にて上記ポケットチーフ３の略下半分側を表裏両面より挟むように貼着し、（ｂ）に示すように当該ポケットチーフ３を保持する。なお、該図において内部ホルダー４を構成する表裏２枚の薄い板状素材は、図中矢印Ａのように中央部にて蝶番のように折り畳める構造のものが好ましいが、特に限定するものではない。【００１７】  また、図７は予めポケットチーフを形成した各種内部ホルダーの形態図であり、ポケットチーフ３の保持手段として上述の両面接着テープ５を用いない方法で示したものある。この場合、内部ホルダー４は上記と同様に表裏２枚の薄い板状素材から形成され、前記板状素材にてポケットチーフ３の略下半分側を表裏両面より挟むと共に当該板状素材の端部をミシンにより縫合してポケットチーフ３を保持したものである。【００１８】  上記方法の場合、ポケットチーフ３の形状は固定された状態となるため、幾つかの形状を成したポケットチーフ３を保持した内部ホルダー４を取り揃えておくと、シチュエーションに応じて容易に差し替えることができて便利である。例えば（ａ）のポケットチーフ３ａは二山折り、（ｂ）のポケットチーフ３ｂは外立ての三山折り、（ｃ）のポケットチーフ３ｃはふくらみ入れを示している。なお、各図の内部ホルダー４の端部には、ミシンにて縫合した縫合部１０があり、デザイン要素の一種でもある。【００１９】  上記何れの方法においても、内部ホルダー４を構成する薄い板状素材としては、本革，合成皮革，合成樹脂，紙などが好ましいが、所望する機能を満たせば特に限定するものではない。【００２０】  次に、図４の本考案のポケットチーフホルダーを構成する外部ホルダーに内部ホルダーを挿入した状態図に示すように、（ａ）において外部ホルダー６の上端部の開口部に上述のポケットチーフ３を保持した内部ホルダー４を挿入し、（ｂ）に示すように当該内部ホルダー４を保持する。前記外部ホルダー６の内寸法は、前記内部ホルダー４を挿入した際に適度な摩擦力によって摺動可能となるようにするのが好ましい。【００２１】  なお、上記外部ホルダー６の端部には、ミシンにて縫合した縫合部７があり、内部ホルダー４における縫合部１０と同様にデザイン要素の一種でもある。さらに、外部ホルダー６を構成する薄い板状素材としては、内部ホルダー４と同様に本革，合成皮革，合成樹脂，紙などが好ましいが、所望する機能を満たせば特に限定するものではない。【００２２】  図５は本考案のポケットチーフホルダーの高さ調整を行っている状態図であり、（ａ）は標準的な深さを有した胸ポケットにポケットチーフホルダー１を差し込む際の外部ホルダー６と内部ホルダー４の挿入状態を示している。また、（ｂ）は深めの胸ポケットにポケットチーフホルダー１を差し込むため、内部ホルダー４を適度な長さに上げた状態の外部ホルダー６と内部ホルダー４の挿入状態を示している。さらに、（ｃ）は浅めの胸ポケットにポケットチーフホルダー１を差し込むため、内部ホルダー４を適度な長さに下げた状態の外部ホルダー６と内部ホルダー４の挿入状態を示している。【００２３】  そして、図６は本考案のポケットチーフホルダーを深さの異なる胸ポケットに挿入した状態図であり、上記胸ポケット９の深さの状態に合わせて高さ調整したポケットチーフホルダー１を胸ポケット９に差し込んだ状態を示している。（ａ）は標準的な深さを有した胸ポケット９に上記ポケットチーフホルダー１を差し込んだ状態を示し、（ｂ）は深めの胸ポケット９に上記ポケットチーフホルダー１を差し込んだ状態を示し、（ｃ）は浅めの胸ポケット９に上記ポケットチーフホルダー１を差し込んだ状態を示しているが、何れの状態であっても胸ポケット９の開口部よりポケットチーフ３を最適な高さを保持して露出させることができるものである。【００２４】  以上のようにすれば、自分の好みのハンカチーフ２で好みの形に折ったポケットチーフ３を型崩れさせることなく保持し、深さの異なる胸ポケット９にも自在に対応して最適な高さに保持することができる。また、外部ホルダー６に内部ホルダー４を収納した一体構造のため、パーツを紛失させることもない。さらに、内部ホルダー４および外部ホルダー６は薄い板状素材から形成されたものであるため、ポケットチーフホルダー１を胸ポケット９に差し込んだ際において厚みが浮き出ることもなく、違和感なく着用することができることになる。【００２５】  また、上記説明においてポケットチーフホルダー１を構成する内部ホルダー４及び外部ホルダー６の外形を長方形にて描いたが、図８の本考案のポケットチーフホルダーを構成する内部ホルダー及び外部ホルダーの他の実施例の外形図に示すように、所望する機能を満たせばＴ字形など他の形状であっても構わない。【００２６】  なお、一般的にポケットチーフ３はネクタイの柄と合わせることもあり、上記Ｔ字形のポケットチーフホルダー１であれば、図９の図８におけるポケットチーフホルダーをネクタイの小剣通しに挿着した状態図に示すように、（ａ）においてネクタイと同柄のポケットチーフ３を保持したポケットチーフホルダー１をネクタイ１１の裏側にある小剣通し１２内に挿入し、（ｂ）に示すように当該小剣通し１２内に挿着すれば、ネクタイ１１を販売する際にポケットチーフホルダー１が付属したものとして販売し易くなる。
【図面の簡単な説明】
【００２７】
【図１】本考案のポケットチーフホルダーの使用状態を示す図である。
【図２】ポケットチーフを自分の好みのハンカチチーフで好みの形に折った状態図である。
【図３】本考案のポケットチーフホルダーを構成する内部ホルダーにポケットチーフを保持させた状態図である。
【図４】本考案のポケットチーフホルダーを構成する外部ホルダーに内部ホルダーを挿入した状態図である。
【図５】本考案のポケットチーフホルダーの高さ調整を行っている状態図である。
【図６】本考案のポケットチーフホルダーを深さの異なる胸ポケットに挿入した状態図である。
【図７】予めポケットチーフを形成した各種内部ホルダーの形態図である。
【図８】本考案のポケットチーフホルダーを構成する内部ホルダー及び外部ホルダーの他の実施例の外形図である。
【図９】図８におけるポケットチーフホルダーをネクタイの小剣通しに挿着した状態図である。
【符号の説明】
【００２８】    １  ポケットチーフホルダー
２  ハンカチーフ
３  ポケットチーフ
４  内部ホルダー
５  両面粘着テープ
６  外部ホルダー
７  縫合部
８  ホルダー内部
９  胸ポケット
１０  縫合部
１１  ネクタイ
１２  小剣通し
【図１】
0003153877.tif 000003
【図２】
0003153877.tif 000004
【図３】
0003153877.tif 000005
【図４】
0003153877.tif 000006
【図５】
0003153877.tif 000007
【図６】
0003153877.tif 000008
【図７】
0003153877.tif 000009
【図８】
0003153877.tif 000010
【図９】
0003153877.tif 000011